(57)【要約】  【課題】  ＤＣオフセットを低減することができるとともに、装置の小型化が可能なデジタル無線装置を提供する。  【解決手段】  デジタル無線装置１は、アンテナ２から送信データ信号を送信するデータ送信部３と、アンテナ２で受信データ信号を受信するデータ受信部４と、アンテナ２から送信する送信データ信号の一部を帰還データ信号としてデータ受信部４へ帰還するデータ帰還部５とを備える。データ受信部４のＤＣオフセット検出部１７は、帰還データ信号に基づいて、帰還データ信号のＤＣ電圧と所定の基準電圧との差をＤＣオフセット量ΔＤＣ（ΔＩとΔＱ）として検出する。データ送信部３のＤＣオフセット補正部７は、ＤＣオフセット量ΔＤＣ（ΔＩとΔＱ）を用いて、送信する送信データ信号のＤＣ電圧を補正する。【選択図】  図１
2007311839.tif 000002
【特許請求の範囲】
【請求項１】
アンテナから送信データ信号を送信するデータ送信手段と、
前記アンテナで受信データ信号を受信するデータ受信手段と、
前記アンテナから送信する前記送信データ信号を帰還データ信号として前記データ受信手段へ帰還するデータ帰還手段と、
を備え、
前記データ受信手段は、
前記帰還データ信号に基づいて、前記帰還データ信号のＤＣ電圧と所定の基準電圧との差をＤＣオフセット量として検出するＤＣオフセット検出手段を備え、
前記データ送信手段は、
前記ＤＣオフセット量を用いて、送信する送信データ信号のＤＣ電圧を補正するＤＣオフセット補正手段を備えたことを特徴とするデジタル無線装置。
【請求項２】
ＤＣオフセット補正のトレーニング用の送信データ信号として、仮送信用の送信データ信号を生成する仮信号生成手段を備え、
前記データ送信手段は、
本送信用の送信データ信号を送信する前に、前記仮送信用の送信データ信号を送信し、
前記ＤＣオフセット補正手段は、
前記仮送信用の送信データ信号から得られた前記ＤＣオフセット量を用いて、前記本送信用の送信データ信号のＤＣ電圧を補正することを特徴とする請求項１に記載のデジタル無線装置。
【請求項３】
前記ＤＣオフセット補正手段は、
過去に検出された複数回分の前記ＤＣオフセット量の平均値を用いて、次回に送信する送信データ信号のＤＣ電圧を補正することを特徴とする請求項１または請求項２に記載のデジタル無線装置。
【発明の詳細な説明】
【技術分野】
【０００１】
本発明は、ＤＣオフセットの低減機能を備えたデジタル無線装置に関するものである。
【背景技術】
【０００２】
デジタル無線装置は、搬送波（キャリア）を用いてデジタル信号（データ信号）をデジタル変調して無線通信する装置である。デジタル無線装置で用いられる変調方式としては、例えば１６ＱＡＭ（Quadrature Amplitude Modulation）などの直行振幅変調が知られている。このようなデジタル無線装置では、直交変調器を用いてデータ信号（ベースバンド信号）を搬送波に乗せた後、その信号（変調データ信号）を増幅器で増幅する。そして、増幅した信号（送信データ信号）をアンテナから送信する。
【０００３】
上記のようなデジタル無線装置では、温度変化や電源電圧変化等によって、ベースバンド信号のＤＣ電圧と直交変調器のリファレンス電圧（基準電圧）にずれが生じることがある。このようなＤＣ電圧のずれをＤＣオフセットという。
【０００４】
従来、ＤＣオフセットを調整する方法として、カーテシアンループによる電力増幅器歪み補償方式のデジタル無線装置が知られている（例えば特許文献１参照）。従来のデジタル無線装置では、負帰還増幅器を用いることによって、送信ベースバンド信号のオフセット電圧からリファレンス電圧を減算してオフセット電圧を検出し、オフセットが減少するように電圧を加減算して、ループ内のＤＣ電圧を調整する。
【特許文献１】特開２００１−３３３１２４号公報（第３−５頁、第１図）
【発明の開示】
【発明が解決しようとする課題】
【０００５】
しかしながら、従来のデジタル無線装置においては、ＤＣオフセットを低減するための負帰還増幅器の回路規模が大きくなるという問題があり、デジタル無線装置の小型化が容易でないという問題があった。
【０００６】
本発明は、上記従来の問題を解決するためになされたもので、ＤＣオフセットを低減することができ、装置の小型化が可能なデジタル無線装置を提供することを目的とする。
【課題を解決するための手段】
【０００７】
本発明のデジタル無線装置は、アンテナから送信データ信号を送信するデータ送信手段と、前記アンテナで受信データ信号を受信するデータ受信手段と、前記アンテナから送信する前記送信データ信号を帰還データ信号として前記データ受信手段へ帰還するデータ帰還手段と、を備え、前記データ受信手段は、前記帰還データ信号に基づいて、前記帰還データ信号のＤＣ電圧と所定の基準電圧との差をＤＣオフセット量として検出するＤＣオフセット検出手段を備え、前記データ送信手段は、前記ＤＣオフセット量を用いて、送信する送信データ信号のＤＣ電圧を補正するＤＣオフセット補正手段を備えた構成を有している。
【０００８】
この構成により、データ送信手段から送信される送信データ信号の一部または全部が、帰還データ信号としてデータ受信手段へ帰還する。ＤＣオフセット検出手段では、帰還データ信号のＤＣ電圧と基準電圧との差がＤＣオフセット量として検出される。そして、ＤＣオフセット補正手段で、ＤＣオフセット量を用いて、次回に送信する送信データ信号のＤＣ電圧の補正（ＤＣオフセット補正）が行われる。これにより、送信データ信号のＤＣオフセットを低減することができ、かつ、従来に比べて回路規模が小さいので、装置の小型化が可能になる。
【０００９】
また、本発明のデジタル無線装置は、ＤＣオフセット補正のトレーニング用の送信データ信号として、仮送信用の送信データ信号を生成する仮信号生成手段を備え、前記データ送信手段は、本送信用の送信データ信号を送信する前に、前記仮送信用の送信データ信号を送信し、前記ＤＣオフセット補正手段は、前記仮送信用の送信データ信号から得られた前記ＤＣオフセット量を用いて、前記本送信用の送信データ信号のＤＣ電圧を補正する構成を有している。
【００１０】
この構成により、本送信用の送信データ信号を送信する前に、仮送信用の送信データ信号を送信して、ＤＣオフセット補正のトレーニングを行うことができる。仮送信のときのＤＣオフセット量を用いて、本送信のときの送信データ信号のＤＣオフセット補正を行うことができる。例えば、第１回目の送信データ信号を送信する前に、ＤＣオフセット補正のトレーニングを行うことにより、第１回目の本送信のときの送信データ信号のＤＣオフセット補正を行うことができる。また、この場合、トレーニング用の送信データ信号を用いることにより、ＤＣオフセット量を正確に検出することができ、ＤＣオフセット補正の精度が向上する。
【００１１】
また、本発明のデジタル無線装置では、前記ＤＣオフセット補正手段は、過去に検出された複数回分の前記ＤＣオフセット量の平均値を用いて、次回に送信する送信データ信号のＤＣ電圧を補正する構成を有している。
【００１２】
この構成により、過去に検出した複数回分のＤＣオフセット量の平均値を用いることにより、ＤＣオフセット量を統計的に正確に求めることができ、ＤＣオフセット補正の精度が向上する。
【発明の効果】
【００１３】
本発明は、データ送信手段から送信する送信データ信号をデータ受信手段へ帰還するデータ帰還手段と、帰還データ信号からＤＣオフセット量を検出するＤＣオフセット検出手段と、ＤＣオフセット量を用いて次回の送信データ信号のＤＣオフセット補正を行うＤＣオフセット補正手段を設けることにより、ＤＣオフセットを低減することができ、装置の小型化が可能であるという効果を有するデジタル無線装置を提供することができるものである。
【発明を実施するための最良の形態】
【００１４】
以下、本発明の実施の形態のデジタル無線装置について、図面を用いて説明する。本実施の形態では、例えば、デジタル無線を利用した同報システムの子局装置等に用いられるデジタル無線装置の場合を例示する。
【００１５】
本発明の実施の形態のデジタル無線装置の構成を図１〜図３に示す。図１は、本実施の形態のデジタル無線装置１の概略構成を示すブロック図である。図１に示すように、デジタル無線装置１は、アンテナ２と、アンテナ２から送信データ信号を送信するデータ送信部３と、アンテナ２で受信データ信号を受信するデータ受信部４と、アンテナ２から送信する送信データ信号の一部を帰還データ信号としてデータ受信部４へ帰還するデータ帰還部５を備えている。ここでは、データ送信部３が、本発明のデータ送信手段に相当し、データ受信部４が、本発明のデータ受信手段に相当する。また、データ帰還部５が、本発明のデータ帰還手段に相当する。
【００１６】
データ送信部３は、Ｉ成分とＱ成分を有する１６ＱＡＭ変調ベースバンド信号を生成するベースバンド信号生成部６と、Ｉ成分とＱ成分のベースバンド信号に後述するＤＣオフセット補正を施すＤＣオフセット補正部と、入力されたデジタル信号をアナログ信号に変換するＤ／Ａ変換部８を備えている。また、データ送信部３は、入力信号（アナログ信号）に直交変調を施してＩＦ（Intermediate Frequency信号、中間周波数信号）変調データ信号を出力する直交変調部９と、入力信号（ＩＦ変調データ信号）にLocal信号を乗算してＲＦ（Radio Frequency信号、無線周波数信号）変調データ信号を出力する乗算器１０と、入力信号（ＲＦ変調データ信号）を増幅する増幅器１１を備えている。ここでは、ＤＣオフセット補正部７が、本発明のＤＣオフセット補正手段に相当する。
【００１７】
データ受信部４は、入力信号（受信データ信号または帰還データ信号）を増幅する増幅器１２と、入力信号のうち特定の周波数帯以外のノイズ成分をカットするバンドパスフィルタ１３（ＢＰＦ）を備えており、また、入力信号にLocal信号を乗算してＩＦデータ信号（ＩＦ受信データ信号またはＩＦ帰還データ信号）を出力する乗算器１４と、入力信号（ＩＦデータ信号）のうち特定の周波数帯以外のノイズ成分をカットするバンドパスフィルタ１５（ＢＰＦ）を備えている。また、データ受信部４は、入力信号（ＩＦデータ信号）に直交復調を施すとともにアナログ／デジタル変換を施してＩ成分とＱ成分の復調データ信号を出力するＩＦデジタル直交復調部１６と、Ｉ成分とＱ成分の復調データ信号を用いて後述するＤＣオフセット検出を行うＤＣオフセット検出部と、Ｉ成分とＱ成分の復調データ信号からベースバンド信号を復調するベースバンド信号復調部１８を備えている。ここでは、ＤＣオフセット検出部１７が、本発明のＤＣオフセット検出手段に相当する。
【００１８】
データ帰還部５は、データ送信部３からアンテナ２へ送られる送信データ信号の一部を帰還データ信号としてデータ受信部４へ帰還する方向性結合器１９（Directional Coupler）と、アンテナ２による送信と受信の切換えを行うアンテナ切換え部２０を備えている。アンテナ切換え部２０は、第１アンテナスイッチ２１と第２アンテナスイッチ２２で構成されている。
【００１９】
デジタル無線装置１が送信モードの状態では、第１アンテナスイッチ２１が送信側の端子（図１における上側の端子）に接続されるとともに、第２アンテナスイッチ２２が送信側の端子（図１における左側の端子）に接続される。これにより、送信データ信号をデータ送信部３からアンテナ２へ送るとともに、送信データ信号の一部を帰還データ信号としてデータ受信部４へ帰還することが可能になる。
【００２０】
一方、デジタル無線装置１が受信モードの状態では、第１アンテナスイッチ２１が受信側の端子（図１における下側の端子）に接続されるとともに、第２アンテナスイッチ２２が受信側の端子（図１における右側の端子）に接続される。これにより、アンテナ２で受信した受信データ信号をデータ受信部４へ送ることが可能になる。
【００２１】
また、デジタル無線装置１は、後述するＤＣオフセット補正のトレーニング用の送信データ信号（仮送信用の送信データ信号）を生成する仮信号生成部２３と、ＤＣオフセット検出部１７で検出された過去複数回分（例えば、過去１０回分）のＤＣオフセット量の平均値を算出する平均化処理部２４を備えている。また、デジタル無線装置１は、直交変調または直交復調を施すときに用いるＩＦ信号を発生するＩＦ信号発生器２５と、Local信号を発生するLocal信号発生器２６を備えている。ここでは、仮信号生成部２３が、本発明の仮信号生成手段に相当する。
【００２２】
図２は、直交変調部９の概略構成を示すブロック図である。図２に示すように、直交変調部９は、ＩＦ信号発生器２５から入力されたＩＦ信号の位相を９０度ずらして位相の異なる二つのＩＦ信号（Cos波とSin波）を出力する直交位相器２７と、一方のＩＦ信号（Cos波）にベースバンド信号のＩ成分を乗せて変調する乗算器２８と、他方のＩＦ信号（Sin波）にベースバンド信号のＱ成分を乗せて変調する乗算器２９と、Ｉ成分の変調波とＱ成分の変調波を合成してＩＦ変調データ信号を出力する加算器３０を備えている。
【００２３】
また、図３は、ＤＣオフセット検出部１７の概略構成を示すブロック図である。図３に示すように、ＤＣオフセット検出部１７は、入力信号（ＩＦデジタル直交復調部１６の出力信号）の位相補正を行う位相補正器３１と、入力信号（位相補正器３１の出力信号）の振幅レベルを補正するレベル補正器３２と、入力信号（レベル補正器３２の出力信号）とベースバンド信号の差をＤＣオフセット量としてＩ成分とＱ成分ごとに検出するオフセット検出器３３を備えている。
【００２４】
以上のように構成されたデジタル無線装置１について、図面を用いてその動作を説明する。
【００２５】
ここでは、まず、ＤＣオフセット検出部１７の動作、特に、位相補正器３１、レベル補正器３２、オフセット検出器３３の動作について、図面を用いて詳しく説明する。なお、図では、説明の便宜のため、データ信号のＩＱ平面上のシンボル点のみが図示されている。
【００２６】
図４は、位相補正器３１の動作の説明図である。図４に示すように、位相補正器３１では、入力信号（復調データ信号）のＩＱ平面における１６ＱＡＭのシンボル点を検出し、データ信号の位相遅れを元に戻す位相補正が行われる。本実施の形態では、ＩＱ平面上の入力信号を原点中心に回転させてＩPＱP平面上の出力信号を出力する位相補正が行われる。例えば、データ信号がＢＰＦ１３、１５を通るときに、データ信号に位相遅れが生じることがある。そのような場合であっても、上記のような位相補正を施すことにより、データ信号の位相遅れを修正することができる。
【００２７】
図５は、レベル補正器３２の動作の説明図である。図５に示すように、レベル補正器３２では、入力信号（データ信号）のＩPＱP平面における１６ＱＡＭのシンボル点を検出し、ベースバンド信号のＩＱ平面のシンボル点と同じレベル（振幅）にするレベル補正が行われる。本実施の形態では、ＩPＱP平面上の入力信号の振幅を増加させてＩLＱL平面上の出力信号を出力するレベル補正が行われる。例えば、データ信号が増幅器１１で増幅されるときに、データ信号のレベル（振幅）が変わることがある。そのような場合であっても、レベル補正を施すことにより、データ信号のレベルを修正することができる。
【００２８】
図６は、オフセット検出器３３の動作の説明図である。図６では、入力信号（データ信号）のＩLＱL平面上のシンボル点が黒い丸印で図示されており、ベースバンド信号のＩＱ平面上のシンボル点が白い丸印で図示されている。
【００２９】
図６に示すように、オフセット検出器３３では、入力信号（データ信号）のＩLＱL平面上における１６ＱＡＭのシンボル点を検出する。そして、ベースバンド信号のＩＱ平面上のシンボル点と比較して、Ｉ成分のずれΔＩとＱ成分のずれΔＱを検出して、ＤＣオフセット量ΔＤＣを検出する。ここで、ＤＣオフセット量ΔＤＣは、帰還データ信号のＤＣ電圧と直交変調部９のリファレンス電圧（基準電圧）との差に相当するものである。また、ＤＣオフセット量ΔＤＣのＩ成分がΔＩであり、ＤＣオフセット量ΔＤＣのＱ成分がΔＱであるともいえる。
【００３０】
つぎに、ＤＣオフセット補正部７の動作について、図面を用いて詳しく説明する。図７は、ＤＣオフセット補正部７の動作の説明図である。図７では、入力信号（ベースバンド信号）のＩＱ平面上のシンボル点が白い丸印で図示されており、ＤＣオフセット補正後の出力信号のＩＱ平面上のシンボル点が黒い丸印で図示されている。
【００３１】
図７に示すように、ＤＣオフセット補正部７では、入力信号（ベースバンド信号）のＤＣ電圧を補正して、ＤＣオフセット量ΔＤＣだけずらすＤＣオフセット補正が行われる。本実施の形態では、入力信号のＩ成分を−ΔＩずらし、Ｑ成分を−ΔＱずらすＤＣオフセット補正が行われる。これにより、ベースバンド信号のＤＣ電圧と直交変調部９のリファレンス電圧（基準電圧）とに差ΔＤＣがある場合であっても、ベースバンド信号のＤＣ電圧を予め−ΔＤＣずらすＤＣオフセット補正を施すことにより、送信データ信号のＤＣオフセットを低減することができる。
【００３２】
以下、本実施の形態のデジタル無線装置１を用いてデータ送受信を行うときの動作を説明する。
【００３３】
図８は、本実施の形態のデジタル無線装置１を用いてデータ送受信を行うときの動作の流れを示す説明図である。図８に示すように、本実施の形態では、受信スロットＲＸ（ＲＸ１、ＲＸ２、…）と送信スロットＴＸ（ＴＸ１、ＴＸ２、…）が交互に設定されている。また、本実施の形態では、第１回目の受信スロットＲＸ１の後に、トレーニング用の送信スロットＴＲが設定されている。ここで、スロットとは、１つの送信データ信号を送信（または受信データ信号を受信）するときの時間を表す単位である。
【００３４】
（第１回目のデータ送信）
本実施の形態のデジタル無線装置１で第１回目のデータ送信を行う場合、まず、ベースバンド信号生成部６が、Ｉ成分とＱ成分を有する１６ＱＡＭ変調ベースバンド信号を生成する。生成された１６ＱＡＭ変調ベースバンド信号は、ＤＣオフセット補正部７に入力される。
【００３５】
第１回目のデータ送信の場合であって、後述するトレーニング用のデータ送信を行っていない場合には、ＤＣオフセット補正部７は、入力信号（ベースバンド信号）にＤＣオフセット補正を施さずに、入力信号のＩ成分とＱ成分をそのまま出力する。Ｄ／Ａ変換部８は、ＤＣオフセット補正部７の出力信号をＩ成分とＱ成分についてそれぞれデジタル／アナログ変換する。そして、Ｄ／Ａ変換部８の出力信号は、直交変調部９に入力される。
【００３６】
直交変調部９は、Ｄ／Ａ変換部８の出力信号に、ＩＦ信号を用いた直交変調を施してＩＦ変調データ信号を生成する。直交変調部９の出力信号は、乗算器１０を用いてＲＦ信号に乗せられた後、増幅器１１で増幅されて、データ帰還部５へ出力される。
【００３７】
このとき、デジタル無線装置１は送信モードの状態とされている。すなわち、第１アンテナスイッチ２１が送信側の端子（図１における上側の端子）に接続されるとともに、第２アンテナスイッチ２２が送信側の端子（図１における左側の端子）に接続されている。したがって、送信データ信号は、第１アンテナスイッチ２１を介してアンテナ２へ送られてデータ送信されるとともに、送信データ信号の一部が第２アンテナスイッチ２２を介して帰還データ信号としてデータ受信部４へ帰還される。
【００３８】
帰還データ信号は、増幅器１２で増幅された後、ＢＰＦ１３によって特定の周波数帯以外のノイズ成分がカットされる。その後、乗算器１４を用いてＲＦ信号で復調された後、もう一度、ＢＰＦ１５によって特定の周波数帯以外のノイズ成分がカットされて、ＩＦデジタル直交復調部１６に入力される。
【００３９】
ＩＦデジタル直交復調部１６では、入力信号（ＩＦデータ信号）に直交復調が施されるとともにアナログ／デジタル変換が施され、ＤＣオフセット検出部１７へＩ成分とＱ成分の復調データ信号が出力される。
【００４０】
ＤＣオフセット検出部１７では、位相補正器３１で復調データ信号の位相補正が行われ（図４参照）、レベル補正器３２で復調データ信号のレベル補正が行われる（図５参照）。そして、オフセット検出器３３でＩ成分のずれΔＩとＱ成分のずれΔＱが検出され、ＤＣオフセット量ΔＤＣが検出される。このようにして検出されたＤＣオフセット量ΔＤＣ（Ｉ成分のずれΔＩとＱ成分のずれΔＱ）は、平均化処理部２４へ出力される。
【００４１】
平均化処理部２４では、過去複数回分（例えば、過去１０回分）のＤＣオフセット量ΔＤＣ（Ｉ成分のずれΔＩとＱ成分のずれΔＱ）の平均値が算出される。そして、ＤＣオフセット量ΔＤＣ（ΔＩとΔＱ）の平均値が、ＤＣオフセット補正部へ出力される。なお、第１回目のデータ送信の場合には、入力されたＤＣオフセット量ΔＤＣ（ΔＩとΔＱ）がそのまま出力される。
【００４２】
（第２回目以降のデータ送信）
本実施の形態のデジタル無線装置１で第２回目以降のデータ送信を行う場合も、第１回目のデータ送信と同様、まず、ベースバンド信号生成部６が、Ｉ成分とＱ成分を有するベースバンド信号を生成する。生成されたベースバンド信号は、ＤＣオフセット補正部７に入力される。
【００４３】
第２回目以降のデータ送信を行う場合には、ＤＣオフセット補正部７は、平均化処理部２４から出力されたＤＣオフセット量ΔＤＣ（Ｉ成分のずれΔＩとＱ成分のずれΔＱ）の平均値を用いて、入力信号（ベースバンド信号）にＤＣオフセット補正を施す（図７参照）。そして、ＤＣオフセット補正を施したベースバンド信号のＩ成分とＱ成分を出力する。
【００４４】
第２回目以降のデータ送信のその他の動作については、第１回目のデータ送信と同様であるため、ここでは説明を省略する。
【００４５】
（トレーニング用のデータ送信）
本実施の形態のデジタル無線装置１では、第１回目のデータ送信を行う前に、ＤＣオフセット補正のトレーニング用のデータ送信が行われる。このトレーニング用のデータ送信は、第１回目のデータ送信（本送信）を行う前の仮送信であるともいえる。この場合、まず、Ｉ成分とＱ成分を有する仮送信用の送信データ信号が、仮信号生成部２３で生成される。
【００４６】
生成された仮送信用の送信データ信号は、ＤＣオフセット補正部７に入力され、第１回目のデータ送信と同様にして、データ送信部３からデータ受信部４へ帰還データ信号が帰還され、ＤＣオフセット検出部１７でＤＣオフセット量ΔＤＣ（Ｉ成分のずれΔＩとＱ成分のずれΔＱ）が検出される。
【００４７】
検出されたＤＣオフセット量ΔＤＣ（Ｉ成分のずれΔＩとＱ成分のずれΔＱ）は、平均化処理部２４に入力されて、第１回目のデータ送信の場合と同様、そのままＤＣオフセット補正部７へ出力される。そして、第１回目のデータ送信（本送信）を行うときには、第２回目以降のデータ送信と同様にして、平均化処理部２４から出力されたＤＣオフセット量ΔＤＣ（Ｉ成分のずれΔＩとＱ成分のずれΔＱ）の平均値を用いて、入力信号（ベースバンド信号）にＤＣオフセット補正を施す（図７参照）。
【００４８】
なお、トレーニング用のデータ送信のその他の動作についても、第１回目のデータ送信と同様であるため、ここでは説明を省略する。
【００４９】
（データ受信）
本実施の形態のデジタル無線装置１でデータ受信を行うときには、デジタル無線装置１が受信モードの状態になっている。すなわち、第１アンテナスイッチ２１が受信側の端子（図１における下側の端子）に接続されるとともに、第２アンテナスイッチ２２が受信側の端子（図１における右側の端子）に接続されている。したがって、アンテナ２で受信した受信データ信号は、第１アンテナスイッチ２１と第２アンテナスイッチ２２を介してデータ受信部４へ送られる。
【００５０】
受信データ信号は、増幅器１２で増幅された後、ＢＰＦ１３によって特定の周波数帯以外のノイズ成分がカットされる。その後、乗算器１４を用いてＲＦ信号で復調された後、もう一度、ＢＰＦ１５によって特定の周波数帯以外のノイズ成分がカットされて、ＩＦデジタル直交復調部１６に入力される。
【００５１】
ＩＦデジタル直交復調部１６では、入力信号（ＲＦデータ信号）にＩＦ信号を用いた直交復調が施されるとともにアナログ／デジタル変換が施され、ＤＣオフセット検出部１７へＩ成分とＱ成分の復調データ信号が出力される。
【００５２】
データ受信の場合には、ＤＣオフセット検出部１７は、ＤＣオフセット検出を行わずに、Ｉ成分とＱ成分の復調データ信号をそのままベースバンド信号復調部１８へ出力する。そして、ベースバンド信号復調部１８では、Ｉ成分とＱ成分の復調データ信号からベースバンド信号が復調される。
【００５３】
このような発明の実施の形態のデジタル無線装置１によれば、データ送信部３から送信する送信データ信号をデータ受信部４へ帰還するデータ帰還部５と、帰還データ信号からＤＣオフセット量ΔＤＣ（Ｉ成分のずれΔＩとＱ成分のずれΔＱ）を検出するＤＣオフセット検出部１７と、ＤＣオフセット量ΔＤＣ（ΔＩとΔＱ）を用いて次回の送信データ信号のＤＣオフセット補正を行うＤＣオフセット補正部を設けることにより、ＤＣオフセットを低減することができ、デジタル無線装置１の小型化が可能である。
【００５４】
すなわち、本実施の形態では、データ送信部３から送信される送信データ信号の一部が、帰還データ信号としてデータ受信部４へ帰還する。ＤＣオフセット検出部１７では、帰還データ信号のＤＣ電圧と基準電圧との差がＤＣオフセット量ΔＤＣ（Ｉ成分のずれΔＩとＱ成分のずれΔＱ）として検出される。そして、ＤＣオフセット補正部７で、ＤＣオフセット量ΔＤＣ（ΔＩとΔＱ）を用いて、次回に送信する送信データ信号のＤＣ電圧の補正（ＤＣオフセット補正）が行われる。これにより、送信データ信号のＤＣオフセットを低減することができ、かつ、従来に比べて回路規模が小さいので、装置の小型化が可能になる。
【００５５】
また、本実施の形態では、本送信用の送信データ信号を送信する前に、仮送信用の送信データ信号を送信して、ＤＣオフセット補正のトレーニングを行うことができる。仮送信のときのＤＣオフセット量ΔＤＣ（ΔＩとΔＱ）を用いて、本送信のときの送信データ信号のＤＣオフセット補正を行うことができる。例えば、第１回目の送信データ信号を送信する前に、ＤＣオフセット補正のトレーニングを行うことにより、第１回目の本送信のときの送信データ信号のＤＣオフセット補正を行うことができる。また、この場合、トレーニング用の送信データ信号を用いることにより、ＤＣオフセット量ΔＤＣ（ΔＩとΔＱ）を正確に検出することができ、ＤＣオフセット補正の精度が向上する。
【００５６】
また、本実施の形態では、過去に検出した複数回分（例えば、過去１０回分）のＤＣオフセット量ΔＤＣ（ΔＩとΔＱ）の平均値を用いる。これにより、ＤＣオフセット量を統計的に正確に求めることができ、ＤＣオフセット補正の精度が向上する。
【００５７】
以上、本発明の実施の形態を例示により説明したが、本発明の範囲はこれらに限定されるものではなく、請求項に記載された範囲内において目的に応じて変更・変形することが可能である。
【産業上の利用可能性】
【００５８】
以上のように、本発明にかかるデジタル無線装置は、ＤＣオフセットを低減することができるとともに、装置の小型化が可能であるという効果を有し、例えば、デジタル無線を利用した同報システムの子局装置等に用いられるデジタル無線装置等として有用である。
【図面の簡単な説明】
【００５９】
【図１】本発明の実施の形態におけるデジタル無線装置のブロック図
【図２】本発明の実施の形態における直交変調部のブロック図
【図３】本発明の実施の形態におけるＤＣオフセット検出部のブロック図
【図４】本発明の実施の形態における位相制御器の動作の説明図
【図５】本発明の実施の形態におけるレベル補正器の動作の説明図
【図６】本発明の実施の形態におけるＤＣオフセット検出器の動作の説明図
【図７】本発明の実施の形態におけるＤＣオフセット補正部の動作の説明図
【図８】本発明の実施の形態におけるデジタル無線装置のデータ送受信の流れの説明図
【符号の説明】
【００６０】
１  デジタル無線装置
２  アンテナ
３  データ送信部
４  データ受信部
５  データ帰還部
６  ベースバンド信号生成部
７  ＤＣオフセット補正部
９  直交変調部
１６  ＩＦデジタル直交復調部
１７  ＤＣオフセット検出部
１８  ベースバンド信号復調部
２３  仮信号生成部
２４  平均化処理部
２５  ＩＦ信号発生器
２６  Local信号発生器
３１  位相補正器
３２  レベル補正器
３３  オフセット検出器
【図１】
2007311839.tif 000003
【図２】
2007311839.tif 000004
【図３】
2007311839.tif 000005
【図４】
2007311839.tif 000006
【図５】
2007311839.tif 000007
【図６】
2007311839.tif 000008
【図７】
2007311839.tif 000009
【図８】
2007311839.tif 000010